(57)【要約】【課題】利用されない無駄な位置登録を削減してより効率的に位置登録を行う移動通信システム、移動端末装置、アクセスポイント装置及び移動通信方法を提供する。【解決手段】移動通信システムが移動端末装置と移動管理サーバ装置とを備え、移動端末装置は、同一呼び出しエリア内に滞在する時間を測定し、前記同一呼び出しエリア内に滞在する時間が所定の位置登録要求時間に達したことを検出すると位置登録要求信号を送信する。移動管理サーバ装置は、前記位置登録要求信号を受信すると前記移動端末装置の位置登録を行う。【選択図】図１
2010283498.tif 000002
【特許請求の範囲】
【請求項１】
自移動端末装置が呼び出しエリア間を移動したことを検出して呼び出しエリア間移動信号を出力する呼び出しエリア間移動処理部と、
前記呼び出しエリア間移動信号の入力を受け、当該入力を受けてからの経過時間である同一呼び出しエリア内滞在時間を測定する滞在時間測定部と、
前記同一呼び出しエリア内滞在時間が所定の位置登録要求時間を経過した後に位置登録要求信号を送信する位置登録要求部と、
を具備する移動端末装置と、
前記位置登録要求信号を受信すると前記移動端末装置の位置登録を行う移動管理サーバ装置と、
を具備することを特徴とする移動通信システム。
【請求項２】
前記位置登録要求部は前記呼び出しエリア間移動処理部からの前記呼び出しエリア間移動信号に従って位置登録削除要求信号を送信し、
前記移動管理サーバ装置は前記位置登録削除要求信号に従って位置登録を削除する
ことを特徴とする請求項１に記載の移動通信システム。
【請求項３】
移動端末装置が呼び出しエリア間を移動したことを検出して呼び出しエリア間移動信号を出力する呼び出しエリア間移動処理部と、
前記呼び出しエリア間移動信号の入力を受け、当該入力を受けてからの経過時間である同一呼び出しエリア内滞在時間を測定する滞在時間測定部と、
前記同一呼び出しエリア内滞在時間が所定の位置登録要求時間を経過した後に位置登録要求信号を送信する位置登録要求部と、
を具備するアクセスポイント装置と、
前記位置登録要求信号を受信すると前記移動端末装置の位置登録を行う移動管理サーバ装置と、
を具備することを特徴とする移動通信システム。
【請求項４】
前記位置登録要求部は、移動端末装置から最後に通信要求を受けた時刻を示す最終通信要求時刻からの経過時間が所定の離圏推定時間になると位置登録削除要求信号を送信し、
前記移動管理サーバ装置は前記位置登録削除要求信号に従って位置登録を削除する
ことを特徴とする請求項３に記載の移動通信システム。
【請求項５】
自移動端末装置が呼び出しエリア間を移動したことを検出して呼び出しエリア間移動信号を出力する呼び出しエリア間移動処理部と、
前記呼び出しエリア間移動信号の入力を受け、当該入力を受けてからの経過時間である同一呼び出しエリア内滞在時間を測定する滞在時間測定部と、
前記同一呼び出しエリア内滞在時間が所定の位置登録要求時間を経過した後に位置登録要求信号を送信する位置登録要求部と、
を具備することを特徴とする移動端末装置。
【請求項６】
移動端末装置が呼び出しエリア間を移動したことを検出して呼び出しエリア間移動信号を出力する呼び出しエリア間移動処理部と、
前記呼び出しエリア間移動信号の入力を受け、当該入力を受けてからの経過時間である同一呼び出しエリア内滞在時間を測定する滞在時間測定部と、
前記同一呼び出しエリア内滞在時間が所定の位置登録要求時間を経過した後に位置登録要求信号を送信する位置登録要求部と、
を具備することを特徴とするアクセスポイント装置。
【請求項７】
移動端末装置が、移動端末装置が呼び出しエリア間を移動したことを検出して呼び出しエリア間移動信号を出力する呼び出しエリア間移動処理ステップと、
移動端末装置が、前記呼び出しエリア間移動信号の入力を受け、当該入力を受けてからの経過時間である同一呼び出しエリア内滞在時間を測定する滞在時間測定ステップと、
移動端末装置が、前記同一呼び出しエリア内滞在時間が所定の位置登録要求時間を経過した後に位置登録要求信号を送信する位置登録要求ステップと、
移動管理サーバ装置が、前記位置登録要求信号を受信すると前記移動端末装置の位置登録を行う位置登録ステップと、
を具備することを特徴とする移動通信システムの通信方法。
【発明の詳細な説明】
【技術分野】
【０００１】
本発明は、移動通信システム、移動端末装置、アクセスポイント装置及び移動通信方法に関する。
【背景技術】
【０００２】
携帯電話等の移動通信システムでは、携帯電話等の移動機の呼び出しを効率よく行うために、ホームロケーションレジスタ装置(HLR : Home Location Register)が予め移動機の位置登録を行っている。
図２０は、ＰＤＣ（Personal Digital Cellular、第２世代携帯電話の通信方式の一つ）の通信システムの基本構成を示す概略構成図である。
同図の通信システムは、関門中継階梯と加入者階梯との２つの階梯と、ホームロケーションレジスタ装置と、基地局装置(BS : Base Station)と移動端末装置（移動機、MS : Mobile Station）とを含んで構成される。関門中継階梯は関門中継系移動通信制御局装置(MGC : Mobile Gateway Center)を含んで構成され、加入者階梯は加入者系移動通信制御局装置(MCC : Mobile Control Center)を含んで構成される。関門中継系移動通信制御装置には固定ネットワーク及び他事業者ネットワークが接続され、固定ネットワークには固定端末装置が接続されている。
ホームロケーションレジスタ装置は移動端末番号や在圏エリア等の加入者情報が登録されている位置登録データベースを含んで構成され、移動端末装置の位置登録を行う。関門中継系移動通信制御局装置は、他ネットワークとの相互接続機能、着信時の自動追跡接続機能および中継機能を有する。また、加入者系移動通信制御局装置は、在圏管理および加入者接続機能を有する。加入者系移動通信制御局装置は、無線チャンネルの移動端末装置への割り当てや切り替え等の基地局制御を行う。
【０００３】
次に、同通信システムが行う（１）位置登録及び（２）着信処理の手順の概要について説明する。
（１）位置登録
セル方式による移動通信システムでは、移動端末装置がセル間を移動するため、移動端末装置の存在場所をネットワーク側で常に把握しておく必要がある。そこで、ホームロケーションレジスタ装置が移動端末装置の位置をページングエリア(PA : Paging Area)単位で移動端末装置毎に記憶している。ページングは無線呼出しを意味し、移動端末装置への通信要求があった際に一斉に呼び出しが行われるエリアをページングエリアという。１個の加入者系移動通信制御局装置に対して１個のページングエリアが設定されている。
位置登録の処理の概要は以下のとおりである。
(i)基地局装置は、報知信号にページングエリア番号を含んで定期的に送信する。移動端末装置はページングエリア番号を受信し内部に記憶する。
(ii)移動端末装置はページングエリア間を移動すると、受信するページングエリア番号の変化を検出して位置登録要求を行う。移動端末装置は基地局装置等を介してホームロケーションレジスタ装置に位置登録要求信号を送信し、ホームロケーションレジスタ装置は位置情報を書き換える。
(iii)位置登録が完了すると、ホームロケーションレジスタ装置は、基地局装置等を介して移動端末装置に位置登録完了信号を送信する。
（２）着信処理
次に、移動端末装置が着信する際にシステムが行う接続手順の概要を示す。
(i)固定ネットワークあるいは他のセルラーネットワークからの着信要求（呼設定要求）は、まず関門中継系移動通信制御局装置に届けられる。着信要求には、着信先の移動端末装置（以下、着信端末装置ともいう）の電話番号と発信元の電話番号とが含まれる。
(ii)関門中継系移動通信制御局装置はホームロケーションレジスタ装置に対して、どの加入者系移動通信制御局装置へルーティングすればよいかを問い合わせる。ホームロケーションレジスタ装置は内部に記憶する移動端末装置の位置情報に基づいて、着信先の加入者系移動通信制御局装置を回答する。関門中継系移動通信制御局装置はホームロケーションレジスタ装置からの情報に従って、加入者系移動通信制御局装置に着信要求を送信する。加入者系移動通信制御局装置はホームロケーションレジスタ装置からの情報を基に該当するページングエリアに含まれる基地局装置を介して一斉呼出しを行う。
(iii)呼出し信号を受信した着信端末装置は、基地局装置に対して呼設定の信号を転送するための信号チャネル設定を要求し、基地局装置では信号チャネルを設定する。
(iv)加入者系移動通信制御局装置はホームロケーションレジスタ装置に格納されている加入者情報をもとに着信端末装置の認証を行い、呼設定要求信号を着信端末装置に送付するとともに基地局装置に通話用の音声チャネルを着信端末装置に付与するよう指示を出す。
(v)着信端末装置が呼出し音を鳴らし、着信先が応答すると通信経路が設定されて通信可能となる。
【先行技術文献】
【非特許文献】
【０００４】
【非特許文献１】三宅功・他１名編著、「未来ねっと技術シリーズ  ユビキタスサービスネットワーク技術」、電気通信協会、２００３年、ｐ．７６−ｐ．８０
【発明の概要】
【発明が解決しようとする課題】
【０００５】
しかしながら、上述した従来の移動通信システムでは、移動端末装置がページングエリアを超えて移動するたびに位置登録の処理が発生し、通信ネットワークへの負担が大きかった。一方、位置登録が行われてから移動端末装置が他のページングエリアに移動までに、当該移動端末装置に対する通信要求が行われなければ、この位置登録情報は利用されない。結果的に、移動通信システムが行った位置登録の処理は無駄であったことになる。
特に、企業内で用いられる移動通信システム等、呼び出しエリアが狭いシステムでは移動端末装置の呼び出しエリア間移動の頻度が高く、移動端末装置が呼び出しエリア間を移動する度に位置登録を行うと、無駄な位置登録が頻繁になされる虞がある。
【０００６】
本発明は、このような事情を考慮してなされたものであり、その目的は、利用されない無駄な位置登録を削減してより効率的に位置登録を行う移動通信システム、移動端末装置、アクセスポイント装置及び移動通信方法を提供することにある。
【課題を解決するための手段】
【０００７】
［１］この発明は上述した課題を解決するためになされたもので、本発明の一態様による移動通信システムは、移動端末装置が呼び出しエリア間を移動したことを検出して呼び出しエリア間移動信号を出力する呼び出しエリア間移動処理部と、前記呼び出しエリア間移動信号の入力を受け、当該入力を受けてからの経過時間である同一呼び出しエリア内滞在時間を測定する滞在時間測定部と、前記同一呼び出しエリア内滞在時間が所定の位置登録要求時間を経過した後に位置登録要求信号を送信する位置登録要求部と、を具備する移動端末装置と、前記位置登録要求信号を受信すると前記移動端末装置の位置登録を行う移動管理サーバ装置と、を具備することを特徴とする。
この移動通信システムでは、移動端末装置が同一呼び出しエリア内に滞在する時間が所定の位置登録要求時間に達した後に移動管理サーバ装置が位置登録を行うので、利用されない無駄な位置登録を削減することが出来る。
【０００８】
［２］また、本発明の一態様による移動通信システムは上述の移動通信システムであって、前記位置登録要求部は前記呼び出しエリア間移動処理部からの前記呼び出しエリア間移動信号に従って位置登録削除要求信号を送信し、前記移動管理サーバ装置は前記位置登録削除要求信号に従って位置登録を削除することを特徴とする。
この移動通信システムでは、移動端末装置が呼び出しエリア間を移動する際に移動管理サーバ装置が位置登録を削除するので、上述したように利用されない無駄な位置登録を削除しつつ、誤った位置登録に基づいて無駄な呼び出しを行う事を避けることができる。
【０００９】
［３］また、本発明の一態様による移動通信システムは、移動端末装置が呼び出しエリア間を移動したことを検出して呼び出しエリア間移動信号を出力する呼び出しエリア間移動処理部と、前記呼び出しエリア間移動信号の入力を受け、当該入力を受けてからの経過時間である同一呼び出しエリア内滞在時間を測定する滞在時間測定部と、前記同一呼び出しエリア内滞在時間が所定の位置登録要求時間を経過した後に位置登録要求信号を送信する位置登録要求部と、を具備するアクセスポイント装置と、前記位置登録要求信号を受信すると前記移動端末装置の位置登録を行う移動管理サーバ装置と、を具備することを特徴とする。
この移動通信システムでは、移動端末装置が同一呼び出しエリア内に滞在する時間が所定の位置登録要求時間に達したことを、移動端末装置からの通信要求を受信した時刻に基づいてアクセスポイント装置が検出した後に移動管理サーバ装置が位置登録を行うので、利用されない無駄な位置登録を削減することが出来る。
［４］また、本発明の一態様による移動通信システムは上述の移動通信システムであって、前記位置登録要求部は、移動端末装置から最後に通信要求を受けた時刻を示す最終通信要求時刻からの経過時間が所定の離圏推定時間になると位置登録削除要求信号を送信し、前記移動管理サーバ装置は前記位置登録削除要求信号に従って位置登録を削除することを特徴とする。
この移動通信システムでは、移動端末装置が呼び出しエリア間を移動したことを、移動端末装置からの通信要求を受信した時刻に基づいてアクセスポイント装置が検出した後に移動管理サーバ装置が位置登録を削除するので、上述したように利用されない無駄な位置登録を削除しつつ、誤った位置登録に基づいて無駄な呼び出しを行う事を避けることができる。
［５］また、本発明の一態様による移動端末装置は、移動端末装置が呼び出しエリア間を移動したことを検出して呼び出しエリア間移動信号を出力する呼び出しエリア間移動処理部と、前記呼び出しエリア間移動信号の入力を受け、当該入力を受けてからの経過時間である同一呼び出しエリア内滞在時間を測定する滞在時間測定部と、前記同一呼び出しエリア内滞在時間が所定の位置登録要求時間を経過した後に位置登録要求信号を送信する位置登録要求部と、を具備することを特徴とする。
この移動端末装置は、同一呼び出しエリア内に滞在する時間が所定の位置登録要求時間に達した後に位置登録要求信号を送信するので、利用されない無駄な位置登録を削減することが出来る。
［６］また、本発明の一態様によるアクセスポイント装置は、移動端末装置が呼び出しエリア間を移動したことを検出して呼び出しエリア間移動信号を出力する呼び出しエリア間移動処理部と、前記呼び出しエリア間移動信号の入力を受け、当該入力を受けてからの経過時間である同一呼び出しエリア内滞在時間を測定する滞在時間測定部と、前記同一呼び出しエリア内滞在時間が所定の位置登録要求時間を経過した後に位置登録要求信号を送信する位置登録要求部と、を具備することを特徴とする。
このアクセスポイント装置は、移動端末装置が同一呼び出しエリア内に滞在する時間が所定の位置登録要求時間に達した後に、この移動端末装置の位置登録要求信号を送信するので、利用されない無駄な位置登録を削減することが出来る。
［７］また、本発明の一態様による通信方法は、移動端末装置が、移動端末装置が呼び出しエリア間を移動したことを検出して呼び出しエリア間移動信号を出力する呼び出しエリア間移動処理ステップと、移動端末装置が、前記呼び出しエリア間移動信号の入力を受け、当該入力を受けてからの経過時間である同一呼び出しエリア内滞在時間を測定する滞在時間測定ステップと、移動端末装置が、前記同一呼び出しエリア内滞在時間が所定の位置登録要求時間を経過した後に位置登録要求信号を送信する位置登録要求ステップと、移動管理サーバ装置が、前記位置登録要求信号を受信すると前記移動端末装置の位置登録を行う位置登録ステップと、を具備することを特徴とする。
この通信方法では、移動端末装置が同一呼び出しエリア内に滞在する時間が所定の位置登録要求時間に達した後に移動管理サーバ装置が位置登録を行うので、利用されない無駄な位置登録を削減することが出来る。
【発明の効果】
【００１０】
この発明によれば、利用されない無駄な位置登録を削減してより効率的に位置登録を行うことができる。
【図面の簡単な説明】
【００１１】
【図１】本発明の第１の実施形態における無線通信システム１の概略構成を示す構成図である。
【図２】同実施形態における移動端末装置１０１の概略構成を示す構成図である。
【図３】同実施形態におけるアクセスポイント装置１０２の概略構成を示す構成図である。
【図４】同実施形態における移動管理サーバ装置１０５の概略構成を示す構成図である。
【図５】同実施形態において移動管理サーバ装置１０５が記憶する位置登録テーブルのデータ構成を示すデータ構成図である。
【図６】同実施形態において、呼び出しエリア間を移動した際に移動端末装置１０１が行う処理手順を示すフローチャートである。
【図７】同実施形態において、同一呼び出しエリア内に滞在する時間が位置登録要求時間に達した際に移動端末装置１０１が行う処理手順を示すフローチャートである。
【図８】同実施形態において、固定端末装置１０６が移動端末装置１０１との通信を要求した場合のシステムの動作例を示すシーケンス図である。
【図９】同実施形態において、固定端末装置１０６が移動端末装置１０１との通信を要求した際に、移動管理サーバ装置１０５に移動端末装置１０１の位置登録が行われていない場合のシステムの動作例を示すシーケンス図である。
【図１０】同実施形態において、固定端末装置１０６が移動端末装置１０１との通信を要求した際に、移動管理サーバ装置１０５が回答する呼び出しエリアには移動端末装置１０１が滞在しない場合のシステムの動作例を示すシーケンス図である。
【図１１】同実施形態において、固定端末装置１０６が移動端末装置１０１との通信を要求した際に、移動管理サーバ装置１０５がデフォルトアクセスポイントを回答する場合のシステムの動作例を示すシーケンス図である。
【図１２】同実施形態において、移動管理サーバ装置１０５の位置登録情報記憶部５１が記憶する位置登録情報のデータ構成を示すデータ構成図である。
【図１３】同実施形態において、固定端末装置１０６が移動端末装置１０１との遅延許容通信を要求した場合のシステムの動作例を示すシーケンス図である。
【図１４】同実施形態において、固定端末装置１０６が移動端末装置１０１との遅延許容通信を要求し、加入者収容装置１０４が測定する通信要求保持時間がタイムアウトした場合のシステムの動作例を示すシーケンス図である。
【図１５】同実施形態において、移動端末装置が同一セル内に滞在し続ける時間を確率で示した図である。
【図１６】同実施形態において、移動端末装置の位置登録を行うまでの時間である位置登録要求時間と、位置登録情報が有効利用される割合との関係を示す図である。
【図１７】本発明の第２の実施形態における無線通信システム２の概略構成を示す構成図である。
【図１８】同実施形態におけるアクセスポイント装置２０２の概略構成を示す構成図である。
【図１９】同実施形態において、受信時刻記憶部６３４が記憶する滞在時間テーブルのデータ構成を示すデータ構成図である。
【図２０】ＰＤＣの通信システムの基本構成を示す概略構成図である。
【発明を実施するための形態】
【００１２】
＜第１の実施形態＞
以下、図面を参照して、本発明の第１の実施の形態について説明する。
図１は本発明の第１の実施形態における無線通信システム１の概略構成を示す構成図である。同図において、無線通信システム１は、移動端末装置１０１とアクセスポイント装置１０２と、ネットワーク１０３と加入者収容装置１０４と、移動管理サーバ装置１０５と固定端末装置１０６とを含んで構成される。ネットワーク１０３にはアクセスポイント装置１０２及び加入者収容装置１０４及び移動管理サーバ装置１０５が接続され、アクセスポイント装置１０２には移動端末装置１０１が無線通信にて接続され、加入者収容装置１０４には固定端末装置１０６が接続されている。
【００１３】
移動端末装置１０１は、アクセスポイント装置１０２及びネットワーク１０３を介して、ネットワーク１０３につながる他の端末装置（移動端末装置やそれ以外の端末装置）と通信を行う。
アクセスポイント装置１０２はピコセルである。ここで、ピコセルとは、数メートルから数十メートルの通信範囲を有し、建物内など従来のアクセスポイント装置でカバーしきれない範囲をカバーする小型基地局装置をいう。
アクセスポイント装置１０２は、移動端末装置１０１と無線通信を行い、移動端末装置１０１とネットワーク１０３とを中継する。また、アクセスポイント装置１０２は、アクセスポイント番号を含む報知信号を送信する。１個のアクセスポイント装置に１個の呼び出しエリアが対応し、呼び出しエリア番号とアクセスポイント番号は同一である。なお、１個のアクセスポイント装置が複数の呼び出しエリアに対応するようにしてもよいし、複数のアクセスポイント装置が１個の呼び出しエリアに対応するようにしてもよい。１個のアクセスポイント装置が複数の呼び出しエリアに対応する場合、例えば、アクセスポイント装置は呼び出しエリア毎にアンテナを備え、各呼び出しエリアの呼び出しエリア番号を対応するアンテナから送信する。通信要求が行われた際は、アクセスポイント装置は、該当する呼び出しエリアに含まれるアンテナから移動端末装置の呼び出しを行う。複数のアクセスポイント装置が１個の呼び出しエリアに対応する場合、１個の呼び出しエリア内に含まれるアクセスポイント装置は同一の呼び出しエリア番号を送信する。通信要求が行われた際は、同一の呼び出しエリアに含まれるアクセスポイント装置が移動端末装置に対して一斉呼び出しを行う。
無線通信システム１は、３台のアクセスポイント装置１０２−１〜３を含んで構成される。なお、アクセスポイント装置１０２−１〜３のいずれであるかを区別する必要がない場合は、アクセスポイント装置１０２と示す。
なお、無線通信システム１が備えるアクセスポイント装置の台数は３台に限らず、他の台数であってもよい。
【００１４】
ネットワーク１０３は、アクセスポイント装置１０２と加入者収容装置１０４と移動管理サーバ装置１０５とが通信を行う通信ネットワークである。
加入者収容装置１０４は、固定端末装置１０６とネットワーク１０３との通信を中継する。
移動管理サーバ装置１０５は、移動端末装置１０１の位置情報を記憶する。また、移動管理サーバ装置１０５は、位置登録要求信号を受信すると移動端末装置１０１の位置登録を行い、位置登録削除要求信号を受信すると移動端末装置１０１の位置登録を削除する。
固定端末装置１０６は、加入者収容装置１０４及びネットワーク１０３を介して、ネットワーク１０３につながる他の端末装置と通信を行う。
【００１５】
図２は、移動端末装置１０１の概略構成を示す構成図である。
同図において、移動端末装置１０１は、無線送信部１１と無線受信部１２と記憶部１３と制御部１４とタイマー部１５と入力部１６とを含んで構成される。記憶部１３はアクセスポイント番号記憶部１３１と登録モード記憶部１３２と自ＩＤ記憶部１３３を含んで構成される。制御部１４は無線通信制御部１４１と呼び出しエリア間移動処理部１４２と、滞在時間測定部１４３と、入力処理部１４４とを含んで構成される。
無線送信部１１は、制御部１４から入力されるデータを変調してアンテナを介して無線送信する。無線受信部１２は、アンテナを介して無線信号を受信し、受信した無線電波を復調して得られた受信データを制御部１４に出力する。無線受信部１２、はアクセスポイント番号を含む報知信号をアクセスポイント装置１０２から受信する。タイマー部１５は、制御部１４から時間測定の指示に従ってタイマーを動かし、自移動端末装置が同一呼び出しエリア内に滞在する時間を測定する。
【００１６】
記憶部１３において、アクセスポイント番号記憶部１３１は、無線受信部１２が受信した報知信号に含まれるアクセスポイント番号を記憶する。登録モード記憶部１３２は、移動管理サーバ装置１０５が自移動端末装置１０１の位置登録を行っている状態を示す位置情報登録モード、または移動管理サーバ装置１０５が自移動端末装置１０１の位置登録を行っていない状態を示す非位置情報登録モードのいずれかを記憶する。自ＩＤ記憶部１３３は自移動端末装置１０１に予め付された識別番号を記憶する。
制御部１４において、無線通信制御部１４１は無線送信部１１を制御して無線信号を送信し、無線受信部１２を制御して無線信号を受信する。無線受信部１２が報知信号を受信すると、無線通信制御部１４１は報知信号からアクセスポイント番号を読み出して呼び出しエリア間移動処理部１４２に出力する。また、無線通信制御部１４１（位置登録要求部）は、非位置登録モードにおいて滞在時間測定部１４３から後述する位置登録要求時間経過を示す信号が入力されると、自ＩＤ記憶部１３３から自ＩＤを読み出し、アクセスポイント番号記憶部１３１からアクセスポイント番号を読み出して、自ＩＤとアクセスポイント番号とを含む位置登録要求信号を無線送信部１１を介して送信する。また、無線通信制御部１４１は、位置登録モードにおいて呼び出しエリア間移動処理部１４２から呼び出しエリア間移動信号が入力されると、自ＩＤ記憶部１３３から自ＩＤを読み出して、自ＩＤを含む位置登録削除要求信号を無線送信部１１を介して送信する。
【００１７】
呼び出しエリア間移動処理部１４２は、アクセスポイント番号記憶部１３１からアクセスポイント番号を読み出して、読み出したアクセスポイント番号と無線受信部１２が受信したアクセスポイント番号とを比較する。両アクセスポイント番号が異なる場合は自移動端末装置１０１が呼び出しエリア間を移動したと判断し、同じ場合は同一の呼び出しエリア内に滞在していると判断する。呼び出しエリア間移動処理部１４２は、呼び出しエリア間を移動したと判断した場合は、無線通信制御部１４１と滞在時間測定部１４３とに呼び出しエリア間移動信号を出力する。
滞在時間測定部１４３は、自移動端末装置１０１が同一呼び出しエリア内に滞在する時間を測定する。呼び出しエリア間を移動した場合、滞在時間測定部１４３は、呼び出しエリア間移動処理部１４２からの呼び出しエリア間移動信号の入力を受けて、タイマー部１５のタイマーをリセットし、同一呼び出しエリア内の滞在時間を測定開始する。同一呼び出しエリア内滞在時間が所定の位置登録要求時間（以下、ｔ−ｒｅｇともいう）を経過した後、滞在時間測定部１４３は、位置登録要求時間経過を示す信号を無線通信制御部１４１に出力する。
なお、移動端末装置１０１は、無線通話を行うためのマイクやスピーカや音声処理部や、移動端末装置１０１から通信要求を行うための操作入力部や操作入力処理部など、位置登録処理や着信処理以外の機能を実現するための各部も含んで構成されるが、図示および説明を省略する。
【００１８】
図３は、アクセスポイント装置１０２の概略構成を示す構成図である。同図において、アクセスポイント装置１０２は、無線送信部２１と無線受信部２２と記憶部２３と制御部２４とタイマー部２５と通信部２６とを含んで構成される。記憶部２３はアクセスポイント番号記憶部２３１と自己ＩＤ記憶部２３２と通信要求記憶部２３３とを含んで構成される。制御部２４は、無線通信制御部２４１と通信要求処理部２４２と通信制御部２４３とを含んで構成される。
無線送信部２１は、制御部２４から入力されるデータを変調してアンテナを介して無線送信する。無線受信部２２は、アンテナを介して無線信号を受信し、受信した無線電波を復調して得られた受信データを制御部２４に出力する。タイマー部２５は、移動端末装置１０１を呼び出した際の応答待ち時間を制御部２４の制御に従って測定する。通信部２６は、ネットワーク１０３との間で信号の送受信を行う。
【００１９】
記憶部２３において、アクセスポイント番号記憶部２３１は、自アクセスポイント装置のアクセスポイント番号を記憶する。自ＩＤ記憶部２３３は自アクセスポイント装置に予め付された識別番号を記憶する。通信要求記憶部２３３は、加入者収容装置１０４から受信する通信要求信号を記憶する。
制御部２４において、無線通信制御部２４１は無線送信部１１を制御して無線信号を送信し、無線受信部１２を制御して無線信号を受信する。また、無線通信制御部２４２は、アクセスポイント番号記憶部２３１からアクセスポイント番号を読み出し、無線送信部２１を介してアクセスポイント番号を含む報知信号を１秒毎に定期的に送信する。また、無線通信制御部２４１は、無線受信部２２を介して移動端末装置１０１からの位置登録要求信号を受信すると、通信制御部２４３及び通信部２６を介して移動管理サーバ装置に位置登録要求信号を転送する。
通信要求処理部２４２は、加入者収容装置１０４からの通信要求信号が通信制御部２４３から入力されると、通信要求信号を通信要求記憶部２３３に書き込むとともに、通信要求信号に含まれる着信先の電話番号を読み出し、無線通信制御部２４１及び無線送信部２１を介して、読み出した電話番号の移動端末装置に対して呼び出し信号を送信する。また、通信要求処理部２４２は、前述の通信要求信号が入力されると、タイマー部２５の値を０にリセットして移動端末装置１０１からの応答待ち時間の測定を開始する。無線受信部２２が移動端末装置１０１からの回答信号を受信すると、通信要求処理部２４２は通信制御部２４３に回答信号を転送し、通信要求記憶部２３３から通信要求信号を削除し、さらに、タイマー部２５の応答待ち時間測定を中止させる。一方、移動端末装置１０１からの回答信号を未受信の状態で、タイマー部２５が測定する応答待ち時間が所定の応答待ち制限時間に達すると、通信要求処理部２４２は通信制御部２４３を介して応答なし信号を送信する。
【００２０】
通信制御部２４３は通信部２６を制御してネットワーク１０３との間で信号の送受信を行う。
なお、アクセスポイント装置１０２は、移動端末装置１０１からの通信要求を処理する移動端末装置通要求処理部など、上述した各部以外の部分も含んで構成されるが、図示および説明を省略する。
【００２１】
図４は、移動管理サーバ装置１０５の概略構成を示す構成図である。同図において、移動管理サーバ装置１０５は位置登録情報記憶部５１と位置登録情報管理部５２と通信部５３とを含んで構成される。
位置登録情報記憶部５１は、移動端末装置の位置登録情報を記憶する。
位置登録情報管理部５２は、通信部５３から位置登録要求信号が入力されると位置登録を行う。具体的には、入力された位置登録要求信号から移動端末装置ＩＤとアクセスポイント番号とを読み出して位置登録情報記憶部５１に書き込む。また、位置登録情報管理部５２は、通信部５３から位置登録削除要求信号が入力されると位置登録を削除する。具体的には、入力された位置登録削除要求信号から移動端末装置ＩＤを読み出して位置登録情報記憶部５１の当該移動端末装置ＩＤに対応するアクセスポイント番号を削除する。また、位置登録情報管理部５２は、通信部５３から位置解決要求信号の入力を受けると、位置解決要求信号から移動端末装置ＩＤを読み出し、位置登録情報記憶部５１から移動端末装置ＩＤに対応するアクセスポイント番号を読み出して通信部５３にアクセスポイント番号を出力する。
通信部５３は、ネットワーク１０３との間で信号の送受信を行う。また、通信部５３は位置登録情報管理部５２から入力されるアクセスポイント番号を加入者収容装置１０４に送信する。
【００２２】
図５は、移動管理サーバ装置１０５が記憶する位置登録テーブルのデータ構成を示すデータ構成図である。
同図において、位置登録テーブルは、複数の移動端末装置の位置登録情報を表形式のデータとして記憶し、各行のデータが１台の移動端末装置の位置登録情報に対応する。同図において、位置登録情報は、移動端末装置ＩＤとアクセスポイント番号とを含んで構成される。位置登録情報管理部５２は、移動端末装置ＩＤをキーとして位置登録情報を検索する。
移動端末装置ＩＤは、記憶される位置登録情報の対象である移動端末装置を示すＩＤである。アクセスポイント番号は、当該移動端末装置が滞在する呼び出しエリアを示すアクセスポイント番号である。
【００２３】
次に、移動端末装置１０１の動作について説明する。
移動端末装置１０１は、非位置登録モードで呼び出しエリア間を移動した場合は、タイマー部１５のタイマーをリセットして、同エリアの滞在時間を測定開始する。予め定められた位置登録要求時間を経過するまで同一呼び出しエリア内に滞在していた場合、移動端末装置１０１は、自移動端末装置ＩＤと滞在する呼び出しエリアのアクセスポイント番号とを含む位置登録要求信号を送信する。移動管理サーバ装置１０５が位置登録を完了すると、移動端末装置１０１は位置登録完了信号を受信する。
位置登録完了信号を受信した移動端末装置１０１は、位置登録モード記憶部１３２が記憶する自移動端末装置の状態を位置登録モードに設定する。一方、位置登録要求時間を経過する前に呼び出しエリア間を移動した場合は、移動端末装置１０１は、上記と同様にタイマー部のタイマーをリセットして、同エリア内の滞在時間を測定開始する。
【００２４】
移動端末装置１０１は、位置登録モードで呼び出しエリア間を移動した場合は、自移動端末装置ＩＤを含む位置登録削除信号を送出する。移動管理サーバ装置１０５が位置登録削除を完了すると、移動端末装置１０１は位置登録削除完了信号を受信する。
位置削除完了信号を受信した移動端末装置１０１は、登録モード記憶部１３２に記憶する自移動端末装置の状態を非位置登録モードに設定するとともに、タイマー部１５のタイマーを０にして、同エリアの滞在時間を測定開始する。予め定められた位置登録要求時間を経過するまで同一呼び出しエリア内に滞在していた場合は、移動端末装置１０１は上述の処理を行う。
【００２５】
図６は、呼び出しエリア間を移動した際に移動端末装置１０１が行う処理手順を示すフローチャートである。移動端末装置１０１が呼び出しエリア間を移動すると、呼び出しエリア間移動処理部１４２が、アクセスポイント番号記憶部１３１に登録されたアクセスポイント番号と無線受信部１２が受信するアクセスポイント番号とが異なることを検出して、制御部１４は処理を開始する。
ステップＳ１において、呼び出しエリア間移動処理部１４２は登録モード記憶部１３２から登録モードを読み出し、位置登録モードか非位置登録モードかを判断する。位置登録モードの場合（ステップＳ１：ＹＥＳ）は、ステップＳ３へ進み、非位置登録モードの場合（ステップＳ１：ＮＯ）は、ステップＳ２へ進む。
ステップＳ２において、呼び出しエリア間移動処理部１４２は、呼び出しエリア間を移動したことを示す信号を滞在時間測定部１４３に出力し、滞在時間測定部１４３はタイマー部１５のタイマーをリセットして同一エリア内に滞在する時間を再度測定する。その後、制御部１４は呼び出しエリア間を移動した際の処理を終了する。
【００２６】
ステップＳ３において、呼び出しエリア間移動処理部１４２は、呼び出しエリア間を移動したことを示す信号を無線通信制御部１４１に出力し、無線通信制御部１４１は自ＩＤ記憶部１３３から自ＩＤを読み出して無線送信部１１を介して位置登録削除要求信号を自ＩＤと共にアクセスポイント装置１０２に送信する。アクセスポイント装置１０２を介して位置登録削除要求信号を受信した移動管理サーバ装置１０５は、移動端末装置１０１の位置登録を削除して、位置登録削除完了信号をアクセスポイント装置１０２を介して移動端末装置１０１に送信する。
ステップＳ４において、無線受信部１２は位置登録削除完了信号を受信すると、受信した位置登録削除完了信号を復調し、無線通信制御部１４１を介して呼び出しエリア間移動処理部１４２に出力する。
ステップＳ５において、呼び出しエリア間移動処理部１４２は、位置登録モード記憶部１３２に非位置登録モードを書き込み、ステップＳ２へ進む。
【００２７】
図７は、同一呼び出しエリア内に滞在する時間が位置登録要求時間に達した際に移動端末装置１０１が行う処理手順を示すフローチャートである。タイマー部１５が測定する時間が位置登録要求時間に達したことを滞在時間測定部１４３が検出すると、制御部１４は処理を開始する。
ステップＳ２１において、滞在時間測定部１４３は時間が位置登録要求時間に達したことを示す信号を呼び出しエリア間移動処理部１４２に出力し、呼び出しエリア間移動処理部１４２は、移動端末装置１０１が同一呼び出しエリア内に滞在しているか否かを、アクセスポイント番号記憶部１３１に登録されたアクセスポイント番号と無線受信部１２が受信するアクセスポイント番号とを比較して判定する。同一呼び出しエリア内に滞在する場合（ステップＳ２１：ＹＥＳ）は、ステップＳ２２に進み、呼び出しエリア間を移動している場合（ステップＳ２１：ＮＯ）は、ステップＳ２７に進む。
【００２８】
ステップＳ２２において、呼び出しエリア間移動処理部１４２は位置登録要求信号を送信すべき旨を示す信号を無線通信制御部１４１に出力し、無線通信制御部１４１は自ＩＤ記憶部１３３から自ＩＤを読み出して無線送信部１１を介して位置登録要求信号を自ＩＤと共にアクセスポイント装置１０２に送信する。アクセスポイント装置１０２を介して位置登録要求信号を受信した移動管理サーバ装置１０５は、移動端末装置１０１の位置登録行なって、位置登録完了信号をアクセスポイント装置１０２を介して移動端末装置１０１に送信する。
ステップＳ２３において、無線受信部１２は位置登録完了信号を受信すると、受信した位置登録完了信号を復調し、無線通信制御部１４１を介して呼び出しエリア間移動処理部１４２に出力する。
ステップＳ２３において、呼び出しエリア間移動処理部１４２は、位置登録モード記憶部１３２に非位置登録モードを書き込む。その後、制御部１４は処理を終了する。
ステップＳ２５において、制御部１４は図６で説明した呼び出しエリア間を移動した際の処理を行い、その後制御部１４は処理を終了する。
【００２９】
次に、固定端末装置１０６が移動端末装置１０１との通信を要求した場合のシステムの動作について説明する。固定端末装置１０６は自ＩＤと通信相手の移動端末装置１０１のＩＤを含む通信要求信号を、加入者収容装置１０４に送信する。加入者収容装置１０４は、移動端末装置に対する通信要求信号であることを識別し、移動管理サーバ装置１０５に、移動端末装置１０１の位置解決要求信号を送信する。位置解決要求信号を受信した移動管理サーバ装置１０５は、移動端末装置１０１のＩＤに対応するアクセスポイント番号を位置登録情報記憶部５１から読み出して、読み出したアクセスポイント番号を回答する。対応するアクセスポイント番号が位置登録情報記憶部に記憶されていない場合は、移動管理サーバ装置１０５はａｌｌ信号を送信する。ａｌｌ信号は、全アクセスポイント装置に対して通信要求信号を送信すべきことを示す信号である。アクセスポイント番号を受信した加入者収容装置１０４は、該当するアクセスポイント装置に通信要求信号を送信する。ａｌｌ信号を受信した場合は、加入者収容装置１０４は、全てのアクセスポイント装置に対して通信要求信号を送信する。
【００３０】
通信要求信号を受信したアクセスポイント装置１０２は、移動端末装置１０１に対して通信要求信号を送信する。移動端末装置１０１は、通信要求信号を受信すると回答信号を送信して、通信が成立する。なお、移動端末装置１０１が通信要求信号を送信したアクセスポイント装置１０２の呼び出しエリア内に滞在しない場合は、移動端末装置１０１は回答信号を送信せず、アクセスポイント装置１０２は所定の応答待ち制限時間経過後に応答なし信号を回答する。応答なし信号を受信した加入者収容装置１０４は、全てのアクセスポイント装置に対して通信要求信号を送信する。なお、応答なし信号を受信した加入者収容装置１０４が、アクセスポイント装置に対して通信要求信号を送信せずに不完了信号を固定端末装置１０６に送信するようにしてもよい。
【００３１】
図８は、固定端末装置１０６が移動端末装置１０１との通信を要求した場合のシステムの動作例を示すシーケンス図である。以下では、アクセスポイント装置１０２として３台のアクセスポイント装置１０２−１、２、３を含んで構成され、移動端末装置１０１はアクセスポイント装置１０２−１の呼び出しエリア内に滞在する場合について説明するが、アクセスポイント装置の台数はこれ以外であってもよく、システムの動作は以下で説明するのと同様である。
ステップＳ３１において、固定端末装置１０６は自ＩＤと通信相手の移動端末装置１０１のＩＤを含む通信要求信号を、加入者収容装置１０４に送信する。
ステップＳ３２において、加入者収容装置１０４は移動端末装置に対する通信要求信号であることを識別し、移動管理サーバ装置１０５に、移動端末装置１０１の位置解決要求信号を送信する。
【００３２】
ステップＳ３３において、位置解決要求信号を受信した移動管理サーバ装置１０５は、位置登録情報記憶部５１から移動端末装置１０１のＩＤに対応するアクセスポイント番号を読み出して、読み出したアクセスポイント番号を加入者収容装置１０４に回答する。
ステップＳ３４において、アクセスポイント番号を受信した加入者収容装置１０４は、アクセスポイント番号が示すアクセスポイント装置１０２−１に通信要求信号を送る。
ステップＳ３５において、」通信要求信号を受信したアクセスポイント装置１０２−１は、移動端末装置１０１に対して通信要求信号を無線送信する。
ステップＳ３６において、移動端末装置１０１は通信要求信号に対する回答をアクセスポイント装置１０２−１に送信し、ステップＳ３７においてアクセスポイント装置１０２−１が加入者収容装置１０４に回答を転送し、ステップＳ３８において加入者収容装置１０４が固定端末装置１０６に回答を転送し、通信が成立する。
【００３３】
図９は、固定端末装置１０６が移動端末装置１０１との通信を要求した際に、移動管理サーバ装置１０５に移動端末装置１０１の位置登録が行われていない場合のシステムの動作例を示すシーケンス図である。移動端末装置１０１からの位置登録削除要求により、移動管理サーバ装置１０５に移動端末装置１０１の位置登録が行われていない状態となっている。
ステップＳ４１〜Ｓ４２は図８のステップＳ３１〜Ｓ３２と同様である。
ステップＳ４３において、位置解決要求信号を受信した移動管理サーバ装置１０５は、移動端末装置１０１のＩＤをキーとして位置登録情報記憶部５１を検索し、ＩＤに対応するアクセスポイント番号が記憶されていないので、全てのアクセスポイント装置に対して通信要求信号を行なうべきであることを示す信号ａｌｌを回答する。
ステップＳ４４において、回答を受信した加入者収容装置１０４は全てのアクセスポイント装置１０２−１、２、３に対して通信要求信号を送信する。
ステップＳ４５において、通信要求信号を受信した各アクセスポイント装置は移動端末装置１０１に対する通信要求信号を送信する。
ステップＳ４６において、移動端末装置１０１はアクセスポイント装置１０２−１から通信要求信号を受信して、アクセスポイント装置１０２−１に回答を送信する。ステップＳ４７〜Ｓ４８は図８のステップＳ３７〜Ｓ３８と同様である。
【００３４】
図１０は、固定端末装置１０６が移動端末装置１０１との通信を要求した際に、移動管理サーバ装置１０５が回答する呼び出しエリアには移動端末装置１０１が滞在しない場合のシステムの動作例を示すシーケンス図である。移動端末装置１０１が呼び出しエリア間を移動した後位置登録削除要求を行なう前に固定端末装置１０６が通信要求信号を送信すると上記の状態となる。
ステップＳ５１〜Ｓ５４は図８のステップＳ３１〜Ｓ３４と同様である。ただし、移動管理サーバ１０５において、移動端末装置１０１はアクセスポイント装置１０２−３の呼び出しエリア内に位置登録されており、ステップＳ５４において加入者収容装置１０４はアクセスポイント装置１０２−３に通信要求信号を送信する。移動端末装置１０１はアクセスポイント装置１０２−３の呼び出しエリア内には滞在しないので、この通信要求信号を受信せず、回答も送信しない。
ステップＳ５５において、アクセスポイント装置１０２−３は、応答待ち時間が所定の応答待ち制限時間を超えたこと（以下ではタイムアウトともいう）を検出して、加入者収容装置１０４に応答なし信号を回答する。
ステップＳ５６〜Ｓ６０は図９のステップＳ４４〜Ｓ４８と同様である。
なお、ステップＳ５５の応答なしを受信した加入者収容装置１０４が、ステップＳ５６以下を実行せずに不完了信号を固定端末装置１０６に送信するようにしてもよい。
【００３５】
なお、移動端末装置１０１が、位置登録削除要求信号送信時に滞在するアクセスポイント番号を含む位置登録要求削除信号を送信するようにしてもよい。同信号を受信した移動管理サーバ装置１０５は、位置登録要求削除信号から移動端末装置１０１のＩＤ番号とアクセスポイント番号とを読み出し、移動端末装置１０１のＩＤ番号を用いて、位置登録情報記憶部５１に記憶する移動端末装置１０１の位置登録情報のアクセスポイント番号を読み出したアクセスポイント番号に更新し、さらに位置登録削除状態フラグを設定する。この位置登録削除状態フラグは、位置登録により非設定となる。固定端末装置１０６が移動端末装置１０１との通信を要求した場合、加入者収容装置１０４からの位置解決要求信号を受信した移動管理サーバ装置１０５は、位置解決要求信号をから移動端末装置１０１のＩＤを読み出し、読み出した移動端末装置１０１のＩＤに対応するアクセスポイントを回答する。その際、位置登録削除フラグが設定されていない場合は、上述したのと同様、移動管理サーバ装置１０５は対応するアクセスポイント番号を回答する。一方、位置登録削除状態フラグが設定されている場合は、移動管理サーバ装置１０５は、あらかじめ定められた確率pでallを回答し、確率（1-p）でアクセスポイント番号を回答する。なお、移動管理サーバ装置１０５がタイマーを備えて位置登録削除状態フラグを設定してからの時刻を測定し、所定の位置登録情報削除実行時間経過後にアクセスポイント番号を削除するようにしてもよい。移動管理サーバ装置は位置解決要求信号を受信すると位置解決要求信号に含まれる移動端末装置１０１のＩＤを読み出し、位置登録削除状態フラグの設定の有無に関わらず、読み出した移動端末装置１０１のＩＤに対応するアクセスポイント番号が位置登録情報記憶部５１に登録されている場合は、そのアクセスポイント番号を回答し、登録されていない場合は、allを回答する。
【００３６】
このように、位置登録削除要求信号受信後でも、移動管理サーバ装置１０５がアクセスポイント番号を回答することにより、当該アクセスポイント番号の呼び出しエリアに移動端末装置１０１が滞在する場合には、移動端末装置１０１に対して全てのアクセスポイント装置から通信要求信号を送信する必要がなくなるので、加入者収容装置１０４とアクセスポイント装置１０２との間の通信量及びアクセスポイント装置１０２の負荷を計下印することができる。
なお、移動端末装置１０１が、位置登録モードにおいて呼び出しエリア間を移動した際に、位置登録削除要求信号を送信しないようにしてもよい。固定端末装置１０６が移動端末装置１０１との通信を要求した場合は、上記の場合と同様に加入者収容装置１０４から位置解決要求信号を受信した移動管理サーバ装置１０５は、位置解決要求信号に含まれる移動端末装置１０１のＩＤを読み出し、読み出したＩＤに対応するアクセスポイント番号を位置登録情報記憶部５１から読み出して加入者収容装置１０４に回答する。加入者収容装置１０４がアクセスポイント番号のアクセスポイント装置１０２に通信要求を送信し、アクセスポイント装置１０２が移動端末装置１０１に対して通信要求信号を送信する。
回答されるアクセスポイント番号の呼び出しエリアに移動端末装置１０１が滞在する場合は、上記の場合と同様に、移動端末装置１０１が通信要求信号に対する回答信号を送信して通信可能となる。
【００３７】
一方、移動端末装置１０１が既に他の呼び出しエリアに移動している場合は、移動端末装置１０１は回答信号を送信せず、アクセスポイント装置１０２はタイムアウトを検出して加入者収容装置１０４に応答なしを回答する。応答なしを受信した加入者収容装置１０４は、以下のいずれかの処理を行う。(i)全アクセスポイント装置に通信要求信号を送信する。同通信要求信号を受信したアクセスポイント装置１０２は、移動端末装置１０１に対して通信要求信号を送信する。移動端末装置１０１が通信要求信号に対して回答をして、通信が成立する。(ii)移動管理サーバ装置１０５は、前述の位置登録情報に加えて、移動端末装置毎に予め定められるデフォルトアクセスポイント番号を移動端末装置ＩＤと対応付けて記憶している。
応答なしを受信した加入者収容装置１０４は、移動端末装置ＩＤを含むデフォルトアクセスポイント要求信号を移動管理サーバ装置１０５に送信する。デフォルトアクセスポイント要求信号を受信した移動管理サーバ装置１０５は、同信号から移動端末装置ＩＤを読み出し、読み出した移動端末装置ＩＤに対応するデフォルトアクセスポイント番号を加入者収容装置１０４に回答する。回答を受信した加入者収容装置１０４は、デフォルトアクセスポイント番号が示すアクセスポイント装置１０２に通信要求信号を送信する。通信要求信号を受信したアクセスポイント装置１０２は、通信要求応答タイマーを設定し、移動端末装置１０１に対して通信要求信号を送信する。移動端末装置１０１は、在圏すれば、同通信要求信号に対して回答をして、通信が成立する。在圏しない場合、アクセスポイント装置１０２はタイムアウトを検出して加入者収容装置１０４に応答なしを返送する。応答なしを受信した加入者収容装置１０４は、上記(i)を実行する。
【００３８】
図１１は、固定端末装置１０６が移動端末装置１０１との通信を要求した際に、移動管理サーバ装置１０５がデフォルトアクセスポイントを回答する場合のシステムの動作例を示すシーケンス図である。
ステップＳ７１〜Ｓ７５は図１０のステップＳ５１〜Ｓ５５と同様である。
ステップＳ７６において、加入者収容装置１０４は移動端末装置１０１のＩＤを含むデフォルトアクセスポイント要求を移動管理サーバ装置１０５に送信する。
ステップＳ７７において、移動管理サーバ装置１０５は位置登録情報記憶部５１から移動端末装置１０１のＩＤに対応するデフォルトアクセスポイントを読み出して加入者収容装置１０４に回答する。ここでは、移動管理サーバ装置１０５はデフォルトアクセスポイントとしてアクセスポイント装置１０２−１のアクセスポイント番号を回答する。
ステップＳ７８〜Ｓ８２は、図８のステップＳ３４〜Ｓ３８と同様である。
【００３９】
なお、通信要求信号が遅延許容通信要求信号であった場合、全アクセスポイント装置１０２からの移動端末装置１０１の呼び出しが必要となった時点で、移動通信システム１００が以下の処理を行うようにしてもよい。加入者収容装置１０４は、同通信要求信号を通信要求記憶部２４３に書き込み、通信要求保持時間の測定を開始する。さらに、加入者収容装置１０４は、移動管理サーバ装置１０５に対して、通信要求元の端末装置のＩＤ（以下、通信要求元端末ＩＤともいう）と通信要求宛先の端末装置（以下、宛先端末装置ともいう）のＩＤ（以下、通信宛先端末ＩＤともいう）と自身のＩＤとを含んだ第３者位置登録通知要求を送信する。同要求を受信した移動管理サーバ装置１０５は、位置登録情報記憶部５１に記憶する宛先端末装置の位置登録情報を第３者位置登録通知要求ありに更新する。移動管理サーバ装置１０５は、宛先端末装置である移動端末装置１０１からの位置登録要求を受信して位置登録を完了すると、第３者位置登録通知要求元の加入者収容装置１０４に対して、移動端末装置１０１に対応するアクセスポイント番号を回答する。アクセスポイント番号を受信した加入者収容装置１０４は、通信要求保持時間の測定を終了し、受信したアクセスポイント番号の悪説ポイント装置１０２に通信要求信号を送信する。通信要求信号を受信したアクセスポイント装置１０２は、移動端末装置１０１に対して、通信要求信号を送信する。移動端末装置１０１は、同通信要求信号に対して回答を送信して、通信が成立する。加入者収容装置１０４の通信要求保持タイマーが所定の通信要求保持限度時間に達した場合は、加入者収容装置１０４は、通信要求元端末ＩＤと通信宛先端末ＩＤと自身のＩＤとを含む第３者位置登録通知要求解除信号を、移動管理サーバ装置１０５に送る。同信号を受信した移動管理サーバ装置１０５は、位置登録情報記憶部５１に記憶する位置登録情報から第３者位置登録通知要求ありのマークを削除する。
【００４０】
図１２は移動管理サーバ装置１０５の位置登録情報記憶部５１が記憶する位置登録情報のデータ構成を示すデータ構成図である。
同図において、位置登録テーブルは、複数の移動端末装置の位置登録情報を表形式のデータとして記憶し、各行のデータが１台の移動端末装置の位置登録情報に対応する。同図において、位置登録情報は、移動端末装置ＩＤとアクセスポイント番号と第３者位置登録要求マークと通信要求元端末ＩＤと第３者ＩＤとを含んで構成される。
移動端末装置ＩＤは、記憶される位置登録情報の対象である移動端末装置を示すＩＤである。アクセスポイント番号は、当該移動端末装置が滞在する呼び出しエリアを示すアクセスポイント番号である。なお、第３者位置登録要求マークが付されている場合は、当該移動端末装置は、この呼び出しエリアにいないと考えられる。第３者位置登録要求マークは、当該移動端末装置に対して第３者位置登録要求がなされているか否かを示すマークである。第３者位置登録要求マーク欄には、第３者位置登録要求がなされていることを示す「あり」または第３者位置登録要求がなされていないことを示す「なし」のいずれかが記憶される。通信要求元端末ＩＤは、当該移動端末装置に対して通信要求を行っている端末装置のＩＤである。第３者ＩＤは、第３者位置登録要求を行っている加入者収容装置１０４のＩＤであり、位置登録が行われた際のアクセスポイント番号回答先を示す。
【００４１】
図１３は、固定端末装置１０６が移動端末装置１０１との遅延許容通信を要求した場合のシステムの動作例を示すシーケンス図である。
ステップＳ９１〜Ｓ９５は図１０のＳ５１〜Ｓ５５と同様である。ただし、ステップＳ９１で固定端末装置１０６は遅延許容通信であるとの情報が含まれた通信要求信号を送信する。ステップＳ９６において、加入者収容装置１０４は、通信要求信号を通信要求記憶部２３３に書き込み、タイマー部２５のタイマーを０に設定して通信要求保持時間の測定を開始する。ステップＳ９７において、加入者収容装置１０４は、移動管理サーバ装置１０５に対して、通信要求元端末ＩＤ（固定端末装置１０６のＩＤ）、通信宛先端末ＩＤ（移動端末装置１０１のＩＤ）と自身のＩＤとが含まれた第３者位置登録通知要求を送信する。
ステップＳ９８において、同要求を受信した移動管理サーバ装置１０５は、位置登録情報記憶部５１の通信宛先端末装置（移動端末装置１０１）の行の第３者位置登録要求マーク欄に第３者位置登録通知要求ありのマークを書き込む。
ステップＳ９９において、移動端末装置１０１は自移動端末装置のＩＤと滞在する呼び出しエリア番号（アクセスポイント装置１０２−１のアクセスポイント番号）とを含む位置登録要求をアクセスポイント装置１０２−１に送信し、ステップＳ１００においてアクセスポイント装置１０２−１は位置登録要求を移動管理サーバ装置１０５に転送する。上述したように、移動端末装置１０１は同一呼び出しエリア内の滞在時間が位置登録要求時間に達した際に位置登録要求を送信する。
【００４２】
ステップＳ１０１において、位置登録要求を受信した移動管理サーバ装置１０５は位置登録要求信号から移動端末装置１０１のＩＤとアクセスポイント装置１０２−１のアクセスポイント番号とを読み出し、位置登録情報記憶部５１の移動端末装置１０１の行のアクセスポイント番号の欄に読み出したアクセスポイント番号を書き込む。
ステップＳ１０２において、移動端末装置１０１の位置登録が完了した移動管理サーバ装置１０５は、第３者位置登録通知要求元の加入者収容装置１０４に対して、移動端末装置１０１の登録位置（アクセスポイント番号）を回答する。
ステップＳ１０３において、移動管理サーバ装置１０５は、位置登録情報記憶部５１の移動端末装置１０１の行の第３者位置登録要求マークの欄になしを書き込み、通信要求ＩＤの欄のデータと第３者ＩＤの欄のデータとを削除する。ステップＳ１０４において、加入者収容装置１０４は、タイマー部２５による通信要求保持時間の測定を終了する。
ステップＳ１０５において、受信した回答に含まれるアクセスポイント番号に従ってアクセスポイント装置１０２−１に通信要求信号を送信する。ステップＳ１０６〜Ｓ１０９は、図８のステップＳ３５〜Ｓ３８と同様である。
【００４３】
図１４は、固定端末装置１０６が移動端末装置１０１との遅延許容通信を要求し、加入者収容装置１０４が測定する通信要求保持時間がタイムアウトした場合のシステムの動作例を示すシーケンス図である。
ステップＳ１２１〜Ｓ１２８は図１３のステップＳ９１〜Ｓ９８と同様である。
ステップＳ１２９において、加入者収容装置１０４はタイマー部２５が測定する通信要求保持時間が通信要求保持限度を超えたこと（タイムアウトしたこと）を検出して固定端末装置１０６に応答なしを回答する。
ステップＳ１３０において、加入者収容装置１０４は通信要求元端末ＩＤ（固定端末装置１０６のＩＤ）と通信宛先端末ＩＤ（移動端末装置１０１のＩＤ）と自身のＩＤ（加入者収容装置１０４のＩＤ）とが含まれる第３者位置登録要求解除信号を移動管理サーバ装置１０５に送信する。
ステップＳ１３１において、移動管理サーバ装置１０５は受信した第３者位置登録要求解除信号から通信宛先端末ＩＤを呼び出し、位置登録情報記憶部５１に記憶する通信宛先端末装置の位置登録情報の第３者位置登録要求マーク欄になしを書き込み、通信要求元端末ＩＤ欄のデータと第３者ＩＤ欄のデータとを削除する。
【００４４】
図１５は移動端末装置が同一セル内に滞在し続ける時間を確率で示した図である。同図において、横軸は移動端末装置が同一セル内に滞在し続ける時間であるセル内滞在時間を示し、縦軸はセル内滞在時間経過時に移動端末装置が同一セル内に滞在する確率であるセル内滞在確率を示す。同図のグラフは、オフィス内に通信範囲が数メートルのピコセルを設置して実測したセル内滞在時間に基づいて算出されたセル内滞在確率を示す。
同図に示されるように、移動端末装置のセル内滞在時間が長くなると、セル内滞在確率の減少が緩やかになっている。このことから、ある一定時間以上同一セル内に滞在する移動端末装置は、その後も同一セル内に滞在する確率が高いといえる。一方、セル内滞在時間が短い部分では、セル内滞在確率の減少が大きい。このことから、移動端末装置がセル間を移動してすぐに位置登録を行っても、すぐに再度セル間を移動して位置登録が必要となる可能性が高い。
そこで、上述したように、移動端末装置が同一呼び出しエリア内に滞在する時間が所定の位置登録要求時間以上となった場合のみ位置登録を行うことによって、一度も利用されない無駄な位置登録を削減することができる。位置登録要求時間以上の間、同一呼び出しエリア内に滞在した移動端末装置１０１は、その後も同一呼び出しエリア内に滞在する確率が高いので、位置登録を行うことによって着信時の一斉呼び出しを削減することができる。一方、同一呼び出しエリア内に滞在する時間が位置登録要求時間未満の移動端末装置１０１は、すぐに再度セル間を移動する確率が高く、位置登録を行っても無駄となる可能性が高ので、位置登録を行わない。この場合、移動端末装置１０１への通信要求に対しては、上述した一斉呼び出し等によって移動端末装置１０１との通信を実現する。
【００４５】
図１６は、移動端末装置の位置登録を行うまでの位置登録要求時間と、位置登録情報が有効利用される割合との関係を示す図である。
同図において、横軸は位置登録要求時間を示し、縦軸は有効利用位置情報比を示す。移動端末装置が所定の位置登録要求時間の間同一呼び出しエリア内に滞在した場合に位置登録を行う。有効利用位置情報比は、移動端末装置が当該呼び出しエリア外へ移動するまでに、位置登録情報を用いて移動端末装置に対する通信要求が少なくとも一度は行われる割合をいう。
同図のグラフは、移動端末装置が図１５に示したセル内滞在確率に従って呼び出しエリア間を移動すると仮定した場合の、有効利用位置情報比のシミュレーション値を着信頻度毎に示す。
同図は、位置登録要求時間を大きく設定すると有効利用位置情報比が高い値となることを示しており、本実施形態で説明したように位置登録要求時間経過後に移動端末装置の位置登録を行うことで、有効利用位置情報比を高め、一度も利用されない無駄な位置登録を減少させることができる。
なお、位置登録要求時間を大きく取り過ぎると移動端末装置の位置登録が行われる前に当該移動端末装置に対する通信要求が行われ、全アクセスポイント装置から移動端末装置に通信要求を送信する必要が生じる可能性が高まる。そこで、位置登録要求時間は有効利用位置情報比が高く位置登録前の通信要求数が少ない値に設定する。この値は、例えば、有効利用位置情報比と位置登録前の通信要求数とを一定期間測定し、測定値に基づいて決定することができる。
【００４６】
なお、無線通信システム１は、通信範囲が数キロメートルの基地局装置を備え、より広域をカバーする通信システムであってもよい。この場合、移動管理サーバ装置１０５は、図２０で説明した通信システムのホームロケーションレジスタ装置に相当する。以下同様に、加入者収容装置１０４は固定ネットワーク及び他事業者ネットワークと関門中継系移動通信制御局装置とに相当し、アクセスポイント装置１０２は加入者移動系通信制御局装置と基地局装置とに相当し、ネットワーク１０３はホームロケーションレジスタ装置と関門中継系移動通信制御局装置と加入者系移動通信制御局装置とが通信を行う通信ネットワーク或いは通信路に相当する。
【００４７】
＜第２の実施形態＞
図１７は本発明の第２の実施形態における無線通信システム２の概略構成を示す構成図である。同図において、無線通信システム２は、移動端末装置２０１とアクセスポイント装置２０２と、ネットワーク１０３と加入者収容装置１０４と、移動管理サーバ装置１０５と固定端末装置１０６とを含んで構成される。ネットワーク１０３にはアクセスポイント装置２０２及び加入者収容装置１０４及び移動管理サーバ装置１０５が接続され、アクセスポイント装置２０２には移動端末装置２０１が無線通信にて接続され、加入者収容装置１０４には固定端末装置１０６が接続されている。
同図において、ネットワーク１０３と加入者収容装置１０４と移動管理サーバ装置１０５と固定端末装置１０６とは図１の各部に対応し、その説明を省略する。
移動端末装置２０１は図１の移動端末装置１０１と対応し、その説明を省略する。但し、移動端末装置２０１は位置登録要求信号および位置登録解除要求信号を送信せず、そのための呼び出しエリア間移動を検出しない。従って、移動端末装置２０１は図２の移動端末装置１０１と異なり、アクセスポイント番号記憶部１３と登録モード記憶部１３２と呼び出しエリア間移動処理部１４２と滞在時間測定部１４３とタイマー部１５とを具備しない。
【００４８】
本実施形態の移動通信システム２では、アクセスポイント装置１０２が移動端末装置１０１の位置登録要求を移動管理サーバ装置１０５に対して送信する。
例えば、アクセスポイント装置１０２がアクセスポイント番号を報知しない場合や、移動端末装置１０１が呼び出しエリア間の移動を検出しない場合などは、移動端末装置１０１は、第１の実施形態で説明した位置登録要求信号や位置登録削除要求信号の送信を行うことができない。かかる場合にも本実施形態の移動通信システムでは移動管理サーバ装置１０５は移動端末装置２０１の位置登録及び位置登録削除を行える。なお、本実施形態の移動通信システムは、移動端末装置２０１がセンサノードである場合など、移動端末装置２０１が通信要求を行う頻度が高い場合に特に有効である。
【００４９】
図１８は、アクセスポイント装置２０２の概略構成を示す構成図である。同図において、アクセスポイント装置２０２は無線送信部２１と無線受信部２２と記憶部６３と制御部６４とタイマー部２５と通信部２６とを含んで構成される。記憶部６３はアクセスポイント番号記憶部２３１と自己ＩＤ記憶部２３２と通信要求記憶部２３３と受信時刻記憶部６３４とを含んで構成される。制御部６４は、無線通信制御部２４１と通信要求処理部２４２と呼び出しエリア間移動処理部６４４と受信時刻削除部６４５と滞在時間測定部６４６と通信制御部６４７とを含んで構成される。
同図において、図３の各部に対応する部分には同一の符号（２１、２２、２３１、２３２、２３３、２４１、２４２、２５、２６）を付し、その説明を省略する。
【００５０】
記憶部６３において受信時刻記憶部６３４は、無線受信部２１が移動端末装置２０１から通信要求信号を受信した時刻を記憶する。
制御部６４において呼び出しエリア間移動処理部６４４は、受信時刻記憶部６３４に滞在開始時刻が記憶されていない移動端末装置２０１から通信要求を受信したことを検出することにより、移動端末装置２０１が呼び出しエリア間を移動したことを検出して呼び出しエリア間移動信号を出力する。具体的には、無線受信部２１が移動端末装置２０１から通信要求信号を受信すると、呼び出しエリア間移動処理部６４４は通信要求信号から移動端末装置２０１のＩＤを読み出し、読み出したＩＤに基づいて受信時刻記憶部６３４に当該移動端末装置２０１の滞在開始時刻が記憶されているかを判断する。記憶されていない場合は、呼び出しエリア間移動処理部６４４は、移動端末装置２０１のＩＤを含む呼び出しエリア間移動信号を滞在時間測定部６４６へ出力する。一方、当該移動端末装置２０１の滞在開始時刻が記憶されている場合は、呼び出しエリア間移動処理部６４４は、移動端末装置２０１のＩＤを含む同一呼び出しエリア内滞在信号を滞在時間測定部６４６へ出力する。
【００５１】
受信時刻削除部６４５は、滞在時間測定部から移動端末装置２０１のＩＤの入力を受けると、受信時刻記憶部６３４から当該移動端末装置２０１の受信時刻情報を削除する。
滞在時間測定部６４６は移動端末装置２０１が自アクセスポイント装置の呼び出しエリア内に滞在する時間を測定する。滞在時間測定部６４６は、呼び出しエリア間移動処理部６４４から呼び出しエリア間移動信号の入力を受けると、当該信号から移動端末装置２０１のＩＤを読み出し、受信時刻記憶部６３４に移動端末装置２０１の滞在時間情報を書き込む。当該滞在時間情報として、移動端末装置ＩＤ欄に移動端末装置２０１のＩＤを書き込み、滞在開始時刻欄及び最終通信要求時刻欄に呼び出しエリア間移動信号の入力を受けた時刻（以下、呼び出しエリア間移動信号入力時刻とも言う）を書き込む。滞在時間測定部６４６は、受信時刻記憶部６３４から各移動端末装置の滞在開始時刻を読み出し、滞在開始時刻からの経過時間を算出することにより各移動端末装置の同一呼び出しエリア内滞在時間を測定する。いずれかの移動端末装置の同一呼び出しエリア内滞在時間が所定の位置登録要求時間を経過したことを検出すると、滞在時間測定部６４６は、当該移動端末装置のＩＤを含む位置登録要求時間経過信号を通信制御部６４７に出力する。
【００５２】
一方、呼び出しエリア間移動処理部６４４から同一呼び出しエリア内滞在信号の入力を受けると、滞在時間測定部６４６は、当該信号から移動端末装置２０１のＩＤを読み出し、受信時刻記憶部６３４の移動端末装置２０１に対応する最終通信要求時刻欄に呼び出しエリア間移動信号入力時刻を書き込む。また、滞在時間測定部６４６は、受信時刻記憶部６３４の最終通信要求時刻からの経過時間が所定の離圏推定時間に達したことを検出すると、当該移動端末装置２０１のＩＤを受信時刻記憶部６３４から読み出して、受信時刻削除部６４５に出力するとともに、移動端末装置２０１のＩＤを含む離圏推定時間経過信号を通信制御部６４７に出力する。
通信制御部６４７は通信部２６を制御してネットワーク１０３との間で信号の送受信を行う。また、通信制御部６４７（位置登録要求部）は、滞在時間測定部６４６から位置登録要求時間経過信号が入力されると、当該信号から移動端末装置のＩＤを読み出し、アクセスポイント番号記憶部２３１からアクセスポイント番号を読み出して、移動端末装置のＩＤとアクセスポイント番号とを含む位置登録要求信号を、通信部２６を介して移動管理サーバ装置１０５に送信する。また、通信制御部６４７は、滞在時間測定部６４６から離圏推定時間経過信号が入力されると、当該信号から移動端末装置のＩＤを読み出して、移動端末装置のＩＤを含む位置登録削除要求信号を、通信部２６を介して移動管理サーバ装置１０５に送信する。
【００５３】
図１９は、受信時刻記憶部６３４が記憶する滞在時間テーブルのデータ構成を示すデータ構成図である。
同図において、滞在時間テーブルは複数の移動端末装置の滞在時間情報を表形式のデータとして記憶し、各行のデータが１台の移動端末装置の滞在時間情報に対応する。同図において、滞在時間情報は移動端末装置ＩＤと滞在開始時刻と最終通信要求時刻とを含んで構成される。
移動端末装置ＩＤは移動端末装置を識別するＩＤである。
滞在開始時刻は、移動端末装置２０１からの通信要求信号に基づいて、呼び出しエリア間移動処理部６４４が呼び出しエリア間移動信号を出力した時刻であり、アクセスポイント装置２０２が移動端末装置２０１から最初に通信要求信号を受信した時刻を示す。
最終通信要求時刻は、移動端末装置２０１からの通信要求信号に基づいて、呼び出しエリア間移動処理部６４４が同一呼び出しエリア内滞在信号を出力した時刻であり、アクセスポイント装置２０２が移動端末装置２０１から最後に通信要求信号を受信した時刻を示す。
【００５４】
次に移動通信システム１０２の動作について説明する。
まず、移動端末装置２０１からの通信要求信号を受信すると、アクセスポイント装置２０２は滞在時間情テーブルのデータを更新する。
例えば、移動端末装置２０１が固定端末装置１０６への通信要求信号を送信する。通信要求信号には、自移動端末装置のＩＤと通信相手の固定端末装置１０６のＩＤとが含まれる。通信要求信号を受信したアクセスポイント装置２０２は、無線通信制御部２４１が通信要求信号であることを識別し、通信制御部２４３及び通信部２６を介して、加入者収容装置１０４に通信要求信号を転送する。また、移動端末装置２０１の呼び出しエリア間移動処理部６４４は、移動端末装置２０１のＩＤをキーとして、受信時刻記憶部６３４に記憶する滞在時間テーブルを検索する。滞在時間テーブルに移動端末装置２０１の滞在時間情報が記憶されていない場合は、呼び出しエリア間移動処理部６４４は、移動端末装置２０１のＩＤを含む呼び出しエリア間移動信号を滞在時間測定部６４６へ出力する。滞在時間測定部６４６は入力された呼び出しエリア間移動信号に基づいて、上述のように滞在時間テーブルのデータを更新する。滞在時間テーブルに移動端末装置２０１の滞在時間情報が記憶されている場合は、呼び出しエリア間移動処理部６４４は、移動端末装置２０１のＩＤを含む同一呼び出しエリア内滞在信号を滞在時間測定部６４６へ出力する。滞在時間測定部６４６は入力された同一呼び出しエリア内滞在信号に基づいて、上述のように滞在時間テーブルのデータを更新する。
通信要求信号を受信した加入者収容装置１０４は、固定端末装置１０６に通信要求信号を送信する。固定端末装置１０６が通信要求信号を受信すると移動端末装置１０１と固定端末装置１０６との間の通信経路が確保され通信が可能となる。
【００５５】
また、アクセスポイント装置２０２の滞在時間測定部６４６は、滞在時間テーブルの滞在開始時刻に基づいて、自アクセスポイント装置の呼び出しエリア内への各移動端末装置の滞在時間を算出する。滞在時間が所定の位置登録要求時間に達した移動端末装置２０１について、通信制御部６４７は位置登録要求時間経過信号を通信制御部６４７に出力し、通信制御部６４７は当該移動端末装置のＩＤと自アクセスポイント番号とを含む位置登録要求信号を移動管理サーバ装置１０５へ送信する。同信号を受信した移動管理サーバ装置１０５は、同信号に含まれる移動端末装置のＩＤをキーとして位置登録情報記憶部５１を検索し、該当する位置登録情報のアクセスポイント番号を位置登録要求信号に含まれるアクセスポイント番号に更新する。更新を完了した移動管理サーバ装置１０５は、アクセスポイント装置２０２に位置登録完了信号を送信する。
【００５６】
また、アクセスポイント装置２０２の滞在時間測定部６４６は、滞在時間テーブルの最終通信要求時刻から所定の離圏推定時刻を経過した移動端末装置２０２について、当該移動端末装置のＩＤを含む位置登録削除要求信号を移動管理サーバ装置１０５へ送出する。同信号を受信した移動管理サーバ装置１０５は、同信号の移動端末装置のＩＤに対応して、アクセスポイント番号を削除する。削除を完了した移動管理サーバ装置１０５は、アクセスポイント装置２０２に位置削除完了信号を送信する。
固定端末装置１０６が移動端末装置２０１との通信を要求した場合に移動通信システム２の処理は第１の実施形態の移動通信システム１と同様であり、その説明を省略する。
なお、アクセスポイント装置２０２が滞在時間テーブルのデータを更新するために用いる信号は、移動端末装置２０１からの通信要求信号に限らず、伝搬路状態情報などの制御用の信号など、移動端末装置２０１からアクセスポイント装置２０２に送信される信号であればよい。アクセスポイント装置２０２は、通信要求以外の信号も用いて滞在時間テーブルのデータを更新することによって、移動端末装置２０１の滞在時間をより正確に把握できる。
【００５７】
以上のように、本実施形態の移動管理サーバ装置１０５は第１の実施形態の移動通信システム１の場合と同様に、移動端末装置２０１が一定時間以上同一呼び出しエリア内に滞在した場合に位置登録を行うので、利用されない無駄な位置登録を削減することができる。
【００５８】
なお、図１〜図４と図１７〜図１８とに示す各部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５９】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００６０】
本発明は、移動通信システム、移動端末装置、アクセスポイント装置や移動通信方法に用いて好適である。
【符号の説明】
【００６１】
１、２  移動通信システム
１０１、１０２  移動端末装置
１０２、２０２  アクセスポイント装置
１１、２１  無線送信部
１２、２２  無線受信部
１３、２３、６３  記憶部
１４、２４、６４  制御部
１５、２５  タイマー部
２６  通信部
１３１、２３１  アクセスポイント番号記憶部
１３２  登録モード記憶部
１３３、２３２  自ＩＤ記憶部
２３３  通信要求記憶部
６３４  受信時刻記憶部
１４１、２４１  無線通信制御部
１４２、６４４  呼び出しエリア間移動処理部
１４３  滞在時間測定部
２４２  通信要求処理部
２４３、６４７  通信制御部
６４５  受信時刻削除部
６４６  滞在時間測定部
【図１】
2010283498.tif 000003
【図２】
2010283498.tif 000004
【図３】
2010283498.tif 000005
【図４】
2010283498.tif 000006
【図５】
2010283498.tif 000007
【図６】
2010283498.tif 000008
【図７】
2010283498.tif 000009
【図８】
2010283498.tif 000010
【図９】
2010283498.tif 000011
【図１０】
2010283498.tif 000012
【図１１】
2010283498.tif 000013
【図１２】
2010283498.tif 000014
【図１３】
2010283498.tif 000015
【図１４】
2010283498.tif 000016
【図１５】
2010283498.tif 000017
【図１６】
2010283498.tif 000018
【図１７】
2010283498.tif 000019
【図１８】
2010283498.tif 000020
【図１９】
2010283498.tif 000021
【図２０】
2010283498.tif 000022